(57)【要約】【課題】ボイラ火炉内に点検用の作業足場を取り付けた後であっても、ボイラ水壁を容易に交換できるボイラ内作業足場、ボイラ水壁の交換装置及びその交換方法を提供する。【解決手段】本発明のボイラ内作業足場１０は、ボイラ火炉内でボイラ水壁２２８に沿って吊下げた上部及び下部足場１２，１４と、  前記上部足場１２に下部足場１４を着脱可能な連結部１６と、  前記上部及び下部足場１２，１４の間で前記ボイラ水壁２２８と交差する方向に延出し、前記上部足場１２から取り外した前記下部足場１４を吊上げて前記ボイラ水壁２２８から離れる方向に移動可能な吊上げ部１８と、  を備えたことを特徴としている。【選択図】図１
2019078009.tif 000002
【特許請求の範囲】
【請求項１】
ボイラ火炉内でボイラ水壁に沿って吊下げた上部及び下部足場と、
前記上部足場に下部足場を着脱可能な連結部と、
前記上部及び下部足場の間で前記ボイラ水壁と交差する方向に延出し、前記上部足場から取り外した前記下部足場を吊上げて前記ボイラ水壁から離れる方向に移動可能な吊上げ部と、
を備えたことを特徴とするボイラ内作業足場。
【請求項２】
前記吊上げ部は、
前記上部足場から前記ボイラ火炉の内側に向けて延出するモノレールと、
前記モノレールの長手方向に沿って進退移動可能とし、前記下部足場と連結するチェーンブロックを備えたことを特徴とする請求項１に記載のボイラ内作業足場。
【請求項３】
前記連結部は、長さ寸法の調整部を備えたことを特徴とする請求項１又は２に記載のボイラ内作業足場。
【請求項４】
缶前水壁と、前記缶前水壁と対向する缶後水壁と、前記缶前水壁及び缶後水壁の隣辺に位置するボイラ水壁からなるボイラ火炉壁に設けるボイラ内作業足場において、
前記缶前水壁又は缶後水壁に沿って吊下げた固定式作業足場と、
前記ボイラ水壁に沿って吊下げた移動式作業足場と、
からなり、
前記移動式作業足場は、上部及び下部足場と、下部足場を前記ボイラ水壁から離れる方向に移動する吊上げ部を備えたことを特徴とするボイラ内作業足場。
【請求項５】
前記固定式作業足場は、隣辺の前記移動式作業足場が移動するスペースに凹部を有することを特徴とする請求項４に記載のボイラ内作業足場。
【請求項６】
請求項１ないし５のいずれか１に記載のボイラ内作業足場と、
前記下部足場が前記ボイラ水壁から離れる方向に移動した間のスペースでボイラ水壁のパネルを吊上げ又は吊り下しするパネル吊上げ手段を備えたことを特徴とするボイラ水壁の交換装置。
【請求項７】
前記パネル吊上げ手段は、
ボイラ架構から前記ボイラ水壁へ向けて進退移動する滑車付梁と、
前記滑車付梁の滑車を通るワイヤを巻き上げ又は送り出す巻き上げ機を備えたことを特徴とする請求項６に記載のボイラ水壁の交換装置。
【請求項８】
ボイラ火炉内のボイラ水壁に沿って吊下げた上部及び下部足場の連結を解放して前記下部足場を吊下げた吊上げ部で前記下部足場を前記ボイラ水壁から離れる方向に移動させて前記ボイラ水壁との間にスペースを設ける工程と、
前記ボイラ水壁の一部を切断したパネルを前記スペースのパネル吊上げ手段で吊り下して撤去する工程と、
前記ボイラ水壁の新たなパネルを前記パネル吊上げ手段で吊り上げて設置する工程と、
を有することを特徴とするボイラ水壁の交換方法。
【発明の詳細な説明】
【技術分野】
【０００１】
本発明は、ボイラ火炉壁の点検及び改修作業に用いるボイラ内作業足場、ボイラ水壁の交換装置及びその交換方法に係り、特に、火力発電用石炭焚き大型ボイラの点検・改修作業を行うためのボイラ内作業足場、ボイラ水壁の交換装置及びその交換方法に関する。
【背景技術】
【０００２】
＜火力発電用石炭焚き大型ボイラ１＞
図７は火力発電用石炭焚き大型ボイラの概略構成を示した側面図である。図示のように火力発電用石炭焚き大型ボイラ１は、ボイラ火炉壁２やケージ壁７などを収容する中央部３と、コールバンカ４などを収容する前部５と、空気予熱器などを収容する後部６とによって構成されている。ボイラ火炉壁２やケージ壁７は、中央部３のケーシング（建屋）内でボイラ架構の頂部に配備した大梁８から吊下げ支持されて、燃焼時の熱膨張を下方に逃がすようにしている。
【０００３】
＜ボイラ火炉壁２＞
図８はボイラ火炉壁の主要構成を示した斜視図である。ボイラ火炉壁２は、上部躯体２００と下部躯体２２０とに区分されている。
上部躯体２００は、天井部２０２と側壁部２０４と内部構成品とによって構成され、４辺の側壁部２０４の一側がケージ壁７の側に接続している。
下部躯体２２０は、４辺の水壁（後述する缶前水壁２２２、缶後水壁２２４、左右のボイラ水壁２２８）で構成され、ボイラ用架構の前部５側（図７参照）に面した缶前水壁２２２と、後部側６側（図７参照）に面した缶後水壁２２４には多数の燃焼用バーナが装備されるウィンドボックス２２６が取り付けられている。また、これらの缶前水壁２２２や缶後水壁２２４の隣辺に位置する左右のボイラ水壁２２８の下部にはホッパー部２３０が接続し、対向するホッパー部２３０を繋ぐようにして、缶前水壁２２２及び缶後水壁２２４の下端に傾斜水壁２３２，２３４が接続される。
上部躯体２００の天井部２０２、側壁部２０４、下部躯体２２０の各水壁は、一辺の長さが２〜３メートル程度の矩形の水管パネル（以下単にパネルということあり）を溶接接合することによって組み立てられている。そして、上部躯体２００の側壁部２０４下端と下部躯体２２０の各ボイラ水壁の上端を接続することによってボイラ火炉壁２が形成されている。
【０００４】
＜点検用作業足場＞
このような構成のボイラ火炉壁２は、定期的に点検、検査作業を行っている。この作業は、まずボイラを停止して炉内を冷却した後、炉内に足場材料を搬入する。図９は基本足場構造の説明図である。点検用作業足場９の基本構成は、ワイヤ９１から吊り下げられる吊上げ支持梁９２を有し、吊上げ支持梁９２には下方に複数対の垂直ロッド９３が吊り下げられ、各対の垂直ロッド９３には水平ロッド９４が嵌め込まれる。各水平ロッド９４間に足場板９５を架橋して第２層の足場（必要により手摺りも取り付けることがある）が形成される。さらに第２層の水平ロッド９４から一対の垂直ロッド９３が吊り下げられ、各対の垂直ロッド９３には水平ロッド９４が嵌め込まれ、水平ロッド９４間には足場板９５が架橋されて第３層の足場が形成される。以下同様にしてボイラ内壁面に沿って必要段数が形成されて、複数層の足場によってボイラ内壁の４面に筒状の仮設足場が組み立てられ、上部梁から吊り下げ支持されている（例えば特許文献１に開示）。
【先行技術文献】
【特許文献】
【０００５】
【特許文献１】特開２００４−２５０９４４号公報
【発明の概要】
【発明が解決しようとする課題】
【０００６】
点検用作業足場は、ボイラ内壁の４面に沿ってそれぞれ組み立てられ、内壁面の四隅にある足場の端部を連結部材で各層毎に連結して一体化して、隣り合う壁面へ移動可能とし、かつ強度、安全性を高めている。この足場上からボイラ内壁面を検査する。そしてボイラ水壁の不具合箇所のパネルを切断して、新たなパネルと交換する作業を行っている。
【０００７】
しかしながら、従来の点検用作業足場は、ボイラ炉内面に沿って形成されるため、壁面と足場の隙間が極めて狭く、内壁面側から不具合のあるパネルを取り外して、新たなパネルを取り付ける際の作業スペースを確保することができなかった。このため、不具合箇所のボイラ水壁部分の作業用足場を撤去して、新たに組み立てる作業が必要となり、作業者の労力を必要とし、かつ長期化するため煩雑な作業となっていた。
またボイラ水壁に沿って組み上げる作業足場は、缶前水壁及び缶後水壁と比べて干渉物が少ないため階段を設けている構造であり、この作業足場を撤去している間は各層への移動が困難になる。
【０００８】
上記従来技術の問題点に鑑み、本発明は、ボイラ火炉壁に点検用の作業足場を取り付けた後であっても、ボイラ水壁を容易に交換できるボイラ内作業足場、ボイラ水壁の交換装置及びその交換方法を提供することにある。
【課題を解決するための手段】
【０００９】
上記課題を解決するための第１の手段として、本発明は、ボイラ火炉内でボイラ水壁に沿って吊下げた上部及び下部足場と、
前記上部足場に下部足場を着脱可能な連結部と、
前記上部及び下部足場の間で前記ボイラ水壁と交差する方向に延出し、前記上部足場から取り外した前記下部足場を吊上げて前記ボイラ水壁から離れる方向に移動可能な吊上げ部と、
を備えたことを特徴とするボイラ内作業足場を提供することにある。
上記第１の手段によれば、点検用の作業足場を設置した後であっても、下部足場をボイラ水壁から離れる方向に移動してボイラ水壁と下部足場の間にパネル交換作業用のスペースを設けることができる。従ってパネル交換作業時に下部足場の撤去及び組立作業を行う必要がなく、ボイラ水壁の交換作業を短時間、かつ効率的に行える。
【００１０】
上記課題を解決するための第２の手段として、本発明は、第１の手段において、前記吊上げ部は、
前記上部足場から前記ボイラ火炉の内側に向けて延出するモノレールと、
前記モノレールの長手方向に沿って進退移動可能とし、前記下部足場と連結するチェーンブロックを備えたことを特徴とするボイラ内作業足場を提供することにある。
上記第２の手段によれば、上部足場は上部梁から吊下げた状態を維持して、下部足場のみをボイラ水壁から離間させてボイラ水壁との間にパネル交換作業用のスペースを設けることができる。
【００１１】
上記課題を解決するための第３の手段として、本発明は、第１又は第２の手段において、前記連結部は、長さ寸法の調整部を備えたことを特徴とする請求項１又は２に記載のボイラ内作業足場を提供することにある。
上記第３の手段によれば、下部足場の荷重をチェーンブロックに吊り替えた後、連結部の長さ寸法を可変して、下部足場及び上部足場との連結を解除し取り外すことができる。これにより、ボイラ火炉内の点検時においては、連結部で上部及び下部足場を連結したり、連結を解除したりすることができる。これによりボイラ水壁のパネル交換作業時においては、連結部を解除／除去して上部足場から下部足場を解放し、移動することで作業スペースを確保できる。
【００１２】
上記課題を解決するための第４の手段として、本発明は、缶前水壁と、前記缶前水壁と対向する缶後水壁と、前記缶前水壁及び缶後水壁の隣辺に位置するボイラ水壁からなるボイラ火炉壁に設けるボイラ内作業足場において、
前記缶前水壁又は缶後水壁に沿って吊下げた固定式作業足場と、
前記ボイラ水壁に沿って吊下げた移動式作業足場と、
からなり、
前記移動式作業足場は、上部及び下部足場と、下部足場を前記ボイラ水壁から離れる方向に移動する吊上げ部を備えたことを特徴とするボイラ内作業足場を提供することにある。
上記第４の手段によれば、ボイラ水壁の点検用の作業足場を設置した後であっても、下部足場をボイラ水壁から離れる方向に移動してボイラ水壁と下部足場の間にパネル交換作業用のスペースを設けることができる。従ってパネル交換作業時に下部足場の撤去及び組立作業を行う必要がなく、ボイラ水壁の交換作業を短時間、かつ効率的に行える。
【００１３】
上記課題を解決するための第５の手段として、本発明は、前記第４の手段において、前記固定式作業足場は、隣辺の前記移動式作業足場が移動するスペースに凹部を有することを特徴とするボイラ内作業足場を提供することにある。
上記第５の手段によれば、移動式作業足場が移動するスペースに干渉することなく固定式作業足場を設置できる。
【００１４】
上記課題を解決するための第６の手段として、本発明は、第１ないし第５のいずれか１に記載のボイラ内作業足場と、
前記下部足場が前記ボイラ水壁から離れる方向に移動した間のスペースでボイラ水壁のパネルを吊上げ又は吊り下しするパネル吊上げ手段を備えたことを特徴とするボイラ水壁の交換装置を提供することにある。
上記第６の手段によれば、ボイラ火炉壁の点検用作業足場を設置した後であっても、ボイラ水壁と下部足場の間に設けた交換作業用のスペースで容易にボイラ水壁の一部となるパネルを吊り下し及び吊り上げて交換作業を行うことができる。これにより下部足場を撤去及び組立作業を行う必要がなく、短時間かつ効率的にボイラ水壁の一部を切断したパネルの交換作業を行うことができる。
【００１５】
上記課題を解決するための第７の手段として、本発明は、第６の手段において、前記パネル吊上げ手段は、
ボイラ架構から前記ボイラ水壁へ向けて進退移動する滑車付梁と、
前記滑車付梁の滑車を通るワイヤを巻き上げ又は送り出す巻き上げ機を備えたことを特徴とするボイラ水壁の交換装置を提供することにある。
上記第７の手段によれば、滑車付梁をボイラ架構側に配置することにより、上部又は下部足場を組み立てて上部梁から吊り下げる取付作業、又はボイラ火炉の点検作業において干渉することがない。また、交換作業時においてボイラ水壁と下部足場の間に設けたスペースで、ボイラ火炉内の他の構造物と干渉することなく、ボイラ水壁のパネルの搬入又は搬出作業を行うことができる。
【００１６】
上記課題を解決するための第８の手段として、本発明は、ボイラ火炉内のボイラ水壁に沿って吊下げた上部及び下部足場の連結を解放して前記下部足場を吊下げた吊上げ部で前記下部足場を前記ボイラ水壁から離れる方向に移動させて前記ボイラ水壁との間にスペースを設ける工程と、
前記ボイラ水壁の一部を切断したパネルを前記スペースのパネル吊上げ手段で吊り下して撤去する工程と、
前記ボイラ水壁の新たなパネルを前記パネル吊上げ手段で吊り上げて設置する工程と、
を有することを特徴とするボイラ水壁の交換方法を提供することにある。
上記第８の手段によれば、点検用の作業足場を設置した後であっても、ボイラ水壁と下部足場の間にパネル交換作業用のスペースを設けることができる。これによりボイラ水壁の交換箇所付近にある足場を撤去及び組立作業を行う必要がなく、短時間かつ効率的にボイラ水壁の一部を切断したパネルの交換作業を行うことができる。
【発明の効果】
【００１７】
本発明によれば、点検用の作業足場を設置した後であっても、ボイラ水壁と下部足場の間に交換作業用のスペースを設けることができ、容易にボイラ水壁の一部を切断したパネルの交換作業を行うことができる。
【図面の簡単な説明】
【００１８】
【図１】本発明のボイラ水壁の交換装置の構成概略図である。
【図２】ボイラ内作業足場の動作説明図である。
【図３】ボイラ火炉に設置した点検用作業足場の斜視図である。
【図４】点検用作業足場の平面図である。
【図５】缶前又は缶後水壁側から見たボイラ内作業足場の説明図である。
【図６】連結部の説明図である。
【図７】火力発電用石炭焚き大型ボイラの概略構成を示した側面図である。
【図８】ボイラ火炉壁の主要構成を示した斜視図である。
【図９】基本足場構造の説明図である。
【発明を実施するための形態】
【００１９】
本発明のボイラ内作業足場、ボイラ水壁の交換装置及びその交換方法の実施形態を添付の図面を参照しながら、以下詳細に説明する。
図３はボイラ火炉に設置した点検用作業足場の斜視図である。ボイラ内作業足場のうち、図中側面に見えるボイラ水壁側の作業足場は、上部足場のみ図示し、下部足場は省略している。下部足場の位置に見えるパネル９６は搬入の様子（前記パネル吊上げ手段２０等は省略している）を示したものである。図４は点検用作業足場の平面図である。
【００２０】
ボイラ内作業足場１０は、ボイラ火炉壁２の上部及び下部躯体２００，２２０とともに上部の大梁８から吊り下げて設置される。ボイラ内作業足場１０は、缶前水壁２２２及び缶後水壁２２４の作業用足場（固定式作業足場）１１とボイラ水壁２２８の作業用足場（移動式作業足場）１１２からなる。
下部躯体２２０の缶前水壁２２２及び缶後水壁２２４に設置した缶前水壁２２２及び缶後水壁２２４の作業用足場１１は、主に燃焼用バーナが装備されるウィンドボックスの点検作業を行う足場である（図４参照）。
【００２１】
缶前水壁２２２や缶後水壁２２４の隣辺に位置する左右のボイラ水壁２２８に設置されるボイラ水壁２２８の作業用足場１１２は、上下層へ移動する階段９７（図４参照）が取り付けられ、主にボイラ水壁２２８の点検作業を行う足場である。ボイラ水壁２２８は、一辺の長さが数メートルの矩形のパネル９６（以下。水管パネルともいう）を溶接接合させたものである。そしてボイラ水壁２２８の不具合がある場合、このパネル９６を切断して新たなパネル９６を溶接する交換作業を行っている。
【００２２】
点検用作業足場９０の基本構成は、前述のようにワイヤから吊り下げられる吊上げ支持梁を有し、吊上げ支持梁には下方に複数対の垂直ロッドが吊り下げられ、各対の垂直ロッドには水平ロッドが嵌め込まれる。各水平ロッド間に足場板を架橋して足場が形成される。そしてボイラ内壁面に沿って必要段数が形成されて、複数層の足場によってボイラ内壁の４面に筒状の足場が組み立てられ、上部梁から吊り下げ支持されている
【００２３】
＜ボイラ水壁の交換装置１００＞
図１は本発明のボイラ水壁の交換装置の構成概略図である。本発明のボイラ水壁の交換装置１００は、ボイラ火炉内で水壁に沿って組み上げるボイラ内作業足場１０と、ボイラ水壁２２８を構成する部品となるパネル９６のパネル吊上げ手段２０を主な基本構成としている。
【００２４】
＜ボイラ内作業足場１０＞
図５は缶前又は缶後水壁側から見たボイラ内作業足場の説明図である。本発明のボイラ内作業足場１０は、ボイラ火炉内でボイラ水壁２２８に沿って吊下げた上部及び下部足場１２，１４と、上部及び下部足場１２，１４を連結又は解放する連結部１６と、上部及び下部足場１２，１４の間でボイラ水壁２２８と交差する方向に延出し、下部足場１４をボイラ水壁２２８から離れる方向に移動可能な吊上げ部１８と、を備えている。
【００２５】
上部及び下部足場１２，１４は、ボイラ水壁２２８の上下方向に設置する足場である。また、缶前水壁又は缶後水壁の点検用作業足場１１は、あらかじめ移動する下部足場１４と干渉しないように凹部１１３を設けて組み上げている。
図６は連結部の説明図である。上部及び下部足場１２，１４の間には連結部１６を取り付けている。連結部１６は上端が上部足場１２に接続し、下端が下部足場１４に接続して上部及び下部足場１２，１４を連結又は解放可能な金物である。連結部１６の具体的な連結構造は、一例として上部及び下部足場１２，１４の連結部分にツバ１６４を設け、連結部１６の両端には、このツバ１６４と嵌合する大径孔及び小径孔からなるだるま形孔１６２を設けている。連結時にはツバ１６４を大径孔に嵌めた後、小径孔へ移動させる。一方、開放時にはツバ１６４を小径孔から大径孔へと移動して取り外しできる。
【００２６】
この連結部１６は、長さ寸法の調整部１６０を備えている。調整部１６０の具体的な構成はターンバックルであり、下部足場１４をチェーンブロック１８２に吊り替える際の長さ調整（長さ寸法の調整）を行うものである。
また上部及び下部足場１２，１４の間には、吊上げ部１８を取り付けている。吊上げ部１８は、上部足場１２からボイラ火炉壁２の内側に向けて延出するモノレール１８０と、モノレール１８０の長手方向に沿って進退移動可能とし、下部足場１４とモノレール１８０とを連結するチェーンブロック１８２を備えている。
【００２７】
モノレール１８０は一端が上部足場１２の下部に接続し、他端がボイラ火炉内のステージ２４０に接続し、ボイラ火炉壁２から内側に向けて水平方向に延出するレールである。またモノレール１８０の端部（ボイラ火炉の内側）にはストッパ１８４を設けて、下部足場１４の上面には手摺１４０を設けている。
チェーンブロック１８２は、下部足場１４と連結するフック１８６と、モノレール１８０上を進退移動するギヤードトロリ１８８を備えており、下部足場１４を吊下げて、モノレール１８０の長手方向、換言するとボイラ水壁２２８から離間する方向へ移動できる。上部及び下部足場１２，１４は連結時において吊上げ部１８を介さずに連結部１６のみで互いに連結させている。
このようなギヤードトロリ１８８は、ボイラ内部へ移動してモノレール１８０の端部まで来たときにストッパ１８４と接触して下部足場１４を停止できる。
なお、連結部１６及び吊上げ部１８は、吊上げ部１８の下部足場１４の重量を考慮して、上部及び下部足場１２，１４の間で複数個所に取り付けている。
【００２８】
＜パネル吊上げ手段２０＞
パネル吊上げ手段２０は、ボイラ架構２５０からボイラ水壁２２８側へ向けて進退移動する滑車付梁２２と、滑車付梁２２の滑車２３を通るワイヤ２４を巻き上げ又は送り出す巻き上げ機２５を備えている。
滑車付梁２２は、長手方向を水平に配置してローラを介してボイラ架構２５０（パネル開口部）からボイラ水壁２２８側へ進退移動する梁である。滑車付梁２２の両端には複数の滑車２３を取り付けて、ワイヤ２４を通している。ワイヤ２４の下端にはフック２７を設けてパネル９６と接続可能とし、ワイヤ２４の上端側は後述する巻き上げ機２５に接続している。
【００２９】
巻き上げ機２５は、あらかじめボイラに設置して点検用作業足場を組み立てる際に用いているウィンチを適用することができる。
このような構成のパネル吊上げ手段２０は、上部及び下部足場１２，１４が連結しているときは、ボイラ架構２５０側に配置している。そして上部及び下部足場１２，１４の連結を解放して下部足場１４がボイラ水壁２２８から離間する方向へ移動しているときに、滑車付梁２２をボイラ水壁２２８側へ移動させる。このときボイラ水壁２２８側の滑車２３はボイラ水壁２２８と下部足場１４の間のスペースに配置されており、足場と干渉することなく、パネル９６の吊上げ又は吊り下し作業を行うことができる。
【００３０】
＜ボイラ水壁の交換方法＞
上記構成による本発明のボイラ水壁の交換装置を用いたボイラ水壁の交換方法について、以下説明する。図２はボイラ火炉の移動式作業足場の動作説明図である。
ボイラ火炉内の点検、検査作業は、ボイラ内作業足場１０の上部及び下部足場１２，１４を連結した状態で行う。
点検、検査作業の結果、ボイラ水壁２２８に不具合箇所が見つかった場合、以下の作業を行う。
【００３１】
ボイラ火炉内のボイラ水壁２２８に沿って吊下げた上部及び下部足場１２，１４の連結する連結部１６を除去して下部足場１４を吊下げた吊上げ部１８で下部足場１４をボイラ水壁２２８から離れる方向に移動させてボイラ水壁２２８との間にスペースを設ける（ステップ１）。
具体的には、吊上げ部１８のチェーンブロック１８２のフック１８６を下部足場１４に接続して下部足場１４を吊り上げる。これにより連結部１６に下部足場１４の荷重が掛からず、吊上げ部１８で荷重を受ける（図２（Ａ）参照）。
次に、連結部１６の調整部１６０（図２（Ａ）参照）で連結部１６の長さ寸法を伸ばしてツバ１６４とだるま形孔１６２の嵌合を外して、連結部１６を取り外す（図２（Ｂ）参照）。
【００３２】
吊上げ部１８のギヤードトロリ１８８により、モノレール１８０の長手方向に沿って、ボイラ水壁２２８から離れる方向に向けて下部足場１４を移動させる。ギヤードトロリ１８８がモノレール１８０先端のストッパ１８４と接触して停止することにより、ボイラ水壁２２８と下部足場１４の間に交換作業用のスペースが生じる（図２（Ｃ）参照）。
【００３３】
ボイラ水壁２２８の一部を切断したパネルをスペースのパネル吊上げ手段２０で吊り下して撤去する（ステップ２）。
具体的にはパネル吊上げ手段２０の滑車付梁２２をボイラ水壁２２８側に向けて移動させる（図２（Ｃ）参照）。
ボイラ水壁２２８の外側（ボイラ架構２５０側）からボイラ水壁２２８の不具合箇所のパネル９６を切断する。
パネル吊上げ手段２０により、ボイラ水壁２２８と下部足場１４に設けたスペースで、切断したパネル９６を吊り下す。切断したパネル９６はホッパーステージの開口から外部へ搬出する（図２（Ｄ）参照）。
【００３４】
ボイラ水壁２２８の新たなパネル９６をパネル吊上げ手段２０で吊り上げて設置する（ステップ３）。
具体的には新たなパネル９６を開口から搬入してパネル吊上げ手段２０で吊上げる（図２（Ｄ）参照）。
切断したパネル箇所に新たなパネル９６を溶接する。
【００３５】
このような本発明によれば、点検用の作業足場を設置した後であっても、ボイラ水壁と下部足場の間に交換作業用のスペースを設けることができ、容易にボイラ水壁の一部を切断したパネルの交換作業を行うことができる。
【符号の説明】
【００３６】
１………火力発電用石炭焚き大型ボイラ、
２………ボイラ火炉壁、２００………上部躯体、２０２………天井部、２０４………側壁部、２２０………下部躯体、２２２………缶前水壁、２２４………缶後水壁、２２６………ウィンドボックス、２２８………ボイラ水壁、２３０………ホッパー部、２３２………傾斜水壁、２３４………傾斜水壁、２４０………ステージ、２５０………ボイラ架構、
３………中央部、４………コールバンカ、５………前部、６………後部、７………ケージ壁、８………大梁、
９………点検用作業足場、９０２………缶前水壁の作業用足場、９０３………缶後水壁の作業用足場、９０４………ボイラ水壁の作業用足場、９１………ワイヤ、９２………吊上げ支持梁、９３………垂直ロッド、９４………水平ロッド、９５………足場板、９６………パネル、９７………階段、
１０………ボイラ内作業足場、１１………缶前水壁又は缶後水壁の作業用足場、１１１………下部足場用スペース、１１２………ボイラ水壁の作業用足場、１１３………凹部、
１２………上部足場、
１４………下部足場、１４０………手摺、
１６………連結部、１６０………調整部、１６２………だるま形孔、１６４………ツバ、
１８………吊上げ部、１８０………モノレール、１８２………チェーンブロック、１８４………ストッパ、１８６………フック、１８８………ギヤードトロリ、
２０………パネル吊上げ手段、２２………滑車付梁、２３………滑車、２４………ワイヤ、２５………巻き上げ機、２７………フック、
１００………ボイラ水壁の交換装置。
【図１】
2019078009.tif 000003
【図２】
2019078009.tif 000004
【図３】
2019078009.tif 000005
【図４】
2019078009.tif 000006
【図５】
2019078009.tif 000007
【図６】
2019078009.tif 000008
【図７】
2019078009.tif 000009
【図８】
2019078009.tif 000010
【図９】
2019078009.tif 000011